(57)【要約】【課題】施工性に優れ、しかも防水性にも優れる外壁材の接合構造。【解決手段】隣接した外壁材が接合する接合部の裏側に金属製のジョイナー１１を配置し、このジョイナー１１の中央部は上記凹陥部１０に挿入され、上記ジョイナー１１の両端部は上記隣接した外壁材の裏面に当接し、一方の外壁材５の裏合じゃくり部７に挿入された部位と上記他方の外壁材６の端面８に続く角部１８に当接された部位とは、弾性を有するパッキン材１５を介してそれぞれ上記一方及び他方の外壁材５、６に当接するとともに、上記一方の外壁材と他方の外壁材の裏面には、それぞれジョイナー１１の端部を除く部分及びジョイナー１１の端部とパッキン材１５との間に通気空間ｓ１、ｓ２を形成した。【選択図】図１
2013241736.tif 000002
【特許請求の範囲】
【請求項１】
建物の外壁を構成する一方の外壁材の端面８に形成された裏合じゃくり部と、他方の外壁材の平面状の端面との接合部に、上記一方の外壁材の裏合じゃくり部と他方の外壁材の端面との間に凹陥部を形成した、外壁材の接合構造であって、
上記隣接した外壁材が接合する接合部の裏側に金属製のジョイナーを配置し、このジョイナーの中央部は上記凹陥部に挿入され、上記ジョイナーの両端部は折り返されて上記隣接した外壁材の裏面に当接し、上記一方の外壁材の裏合じゃくり部に挿入された部位と、上記他方の外壁材の端面及びそれに続く角部に当接された部位とは、弾性を有するパッキン材を介してそれぞれ上記一方及び他方の外壁材に当接するとともに、
上記一方の外壁材と他方の外壁材の裏面には、それぞれジョイナーの端部を除く部分及びジョイナーの端部とパッキン材との間に通気空間を形成した
ことを特徴とする外壁材の接合構造。
【請求項２】
建物の外壁を構成する一方の外壁材の端面に形成された裏合じゃくり部と、他方の外壁材の平面状の端面との接合部に、上記一方の外壁材の裏合じゃくり部と他方の外壁材の端面との間に凹陥部を形成した、外壁材の接合部の裏側に配置されるジョイナーであって、
中央部に設けられて上記裏合じゃくり部に挿入される凹溝部と、該凹溝部の両側に直角に形成されて上記両外壁材の裏面に沿って配置される板状部とを備え、
上記両板状部の各端部には折返し部が形成され、上記一側の板状部の凹溝部側には段差部が設けられているとともに、上記凹溝部の上記一方の外壁材の裏合じゃくり部に対応する溝底部と、上記他方の外壁材の端面に続く角部と段差部の各表側には弾性を有するパッキン材が貼着されている
ことを特徴とする外壁材接合用ジョイナー。
【請求項３】
上記段差部は、上記板状部の両端の折返し部よりも低く形成されているとともに、段差部と折返し部との高さの差は、上記パッキン材のほぼ２分の１に形成されていることを特徴とする、請求項２に記載の外壁材接合用ジョイナー。
【発明の詳細な説明】
【技術分野】
【０００１】
本発明は、窯業系サイディングなどの外壁材の端部同士を接合するための外壁材の接合構造及び接合用ジョイナーに関する。
【背景技術】
【０００２】
一般に、窯業系サイディングなどの外壁材を横方向に接合する形態として、段差加工の無い縦端面同士を突き合せて接合する、いわゆる突合せ接合が知られている。この突合せ接合では、突き合せた箇所の隙間にシリコン系などのシーリング材が充填され、このシーリング材によって目地を構成する、いわゆる湿式シーリングによる工法が知られている。この工法の場合におけるシーリング材の劣化による外観意匠の低下や、防水性の低下の問題に鑑み、外壁材の端部に合じゃくり加工を施すとともに、合じゃくり部同士を接合する合じゃくり接合を行うことで、シーリング材を不要とした技術が知られている（特許文献１参照。）。
【０００３】
また、合じゃくり加工は製造工場にて行われ、外壁材を規格寸法とした上で出荷されるのが一般的であるが、施工現場によっては、規格寸法の外壁材では納まりが悪い場合が生じ得る。例えば、規格寸法の外壁材をそのまま並べたときに、その全幅が外壁の全幅に一致しない場合である。このような場合には、端に配置される外壁材を切断して幅を縮小するとともに、切断された外壁材の端面について合じゃくり加工を施す必要が生じる。このように施工現場において加工された合じゃくり部は、例えば、出隅コーナー材の合じゃくり部と接合されることで、出隅の箇所における合じゃくり接合を実現することができる。
そして、このような施工現場における合じゃくり加工について、簡略化を図るための技術が知られている（特許文献２参照。）。
【０００４】
ところが、このような外壁材の接合構造は、施工現場で外壁材に合じゃくり加工の必要が生じた際には、専用の切削刃物や、煩雑な加工作業などが必要となる。
【０００５】
そこで、左右に隣接される一方の外壁材の端面にのみ裏合じゃくり部を形成し、この裏合じゃくり部と、他方の外壁材の段差加工の無い縦端面を接合させ、裏合じゃくり部には、下地材に固定される接合用役物の一部が挿入され、挿入された接合用役物の部位と、前記裏合じゃくり部の間及び挿入された接合用役物の部位と段差加工の無い縦端面の間にパッキン材を介設する構成のものが提案実施されている（特許文献３参照）。これによれば、隣り合う外壁材において、一方の外壁材を切断加工するだけで、施工現場において容易に調整作業を行うことができる。
【先行技術文献】
【特許文献】
【０００６】
【特許文献１】特開２０００−３４５６８２号公報
【特許文献２】特開２００５−１０５７０１号公報
【特許文献３】特開２０１１−０８４９７７号公報
【発明の概要】
【発明が解決しようとする課題】
【０００７】
しかしながら、このような構造は、柱などの下地材と外壁材との間に十分な間隔（例えば１５ｍｍ程度）がある場合は有効であるが、下地材と外壁材との間の間隔が例えば２ｍｍ程度で、十分な間隔が得られないような場合には適用することができない。なぜならば、実際に隣り合う外壁材間の目地からの雨水等の浸入防止は、パッキン材によるシール部では必ずしも完全とはいえない。そのため、ジョイナーにはシール部の外側にさらに縦溝部を形成し、シール部を越えてさらに浸入してきた雨水等を縦溝部から流下させる構成が採用されている。下地材と外壁材との間に十分な間隔が得られないような場合には、上記のような縦溝部を形成することはできないからである。
【０００８】
本発明は上記問題点を解消し、一方の外壁材の端面と他方の外壁材の端面とを突き合せる接合構造において、下地材と外壁材との間に十分な間隔が得られないような場合であっても、防水性に優れ、しかも施工の容易性を損なうことのない、外壁材の接合構造及び接合用ジョイナーを提供することをその課題とする。
【課題を解決するための手段】
【０００９】
上記課題を解決するため、請求項１に係る発明は、建物の外壁を構成する一方の外壁材の端面に形成された裏合じゃくり部と、他方の外壁材の平面状の端面との接合部に、上記一方の外壁材の裏合じゃくり部と他方の外壁材の端面との間に凹陥部を形成した、外壁材の接合構造であって、上記隣接した外壁材が接合する接合部の裏側に金属製のジョイナーを配置し、このジョイナーの中央部は上記凹陥部に挿入され、上記ジョイナーの両端部は折り返されて上記隣接した外壁材の裏面に当接し、上記一方の外壁材の裏合じゃくり部に挿入された部位と、上記他方の外壁材の端面及びそれに続く角部に当接された部位とは、弾性を有するパッキン材を介してそれぞれ上記一方及び他方の外壁材に当接するとともに、上記一方の外壁材と他方の外壁材の裏面には、それぞれジョイナーの端部を除く部分及びジョイナーの端部とパッキン材との間に通気空間を形成したことを特徴とする。
【００１０】
請求項２に係る発明は、建物の外壁を構成する一方の外壁材の端面に形成された裏合じゃくり部と、他方の外壁材の平面状の端面との接合部に、上記一方の外壁材の裏合じゃくり部と他方の外壁材の端面との間に凹陥部を形成した、外壁材の接合部の裏側に配置されるジョイナーであって、
中央部に設けられて上記裏合じゃくり部に挿入される凹溝部と、該凹溝部の両側に直角に形成されて上記両外壁材の裏面に沿って配置される板状部とを備え、上記両板状部の各端部には折返し部が形成され、上記一側の板状部の凹溝部側には段差部が設けられているとともに、上記凹溝部の上記一方の外壁材の裏合じゃくり部に対応する溝底部と、上記他方の外壁材の端面に続く角部と段差部の各表側には弾性を有するパッキン材が貼着されていることを特徴とする。
【００１１】
請求項３に係る発明は、請求項２において、上記段差部は、上記板状部の両端の折返し部よりも低く形成されているとともに、段差部と折返し部との高さの差は、上記パッキン材のほぼ２分の１に形成されていることを特徴とする。
【発明の効果】
【００１２】
請求項１に係る発明によれば、隣接した外壁材が接合する接合部の裏側に金属製のジョイナーを配置し、このジョイナーの中央部は上記凹陥部に挿入され、上記ジョイナーの両端部は折り返されて上記隣接した外壁材の裏面に当接し、上記一方の外壁材の裏合じゃくり部に挿入された部位と、上記他方の外壁材の端面及びそれに続く角部に当接された部位とは、弾性を有するパッキン材を介してそれぞれ上記一方及び他方の外壁材に当接されているから、パッキン材が当接した部分は止水部となり、上記両外壁材の接合部から雨水等が浸入しても、パッキン材による止水部によってシールされる。なお、パッキン材のうち、ジョイナーの凹溝部のうち、平面状の端面を有する外壁材側の溝壁部に貼着された部分は、両外壁材の目地から真直状に続く部分で、雨水等が浸入しやすいので、さらにジョイナーの段差部に貼着された部分でさらにシールすることにより、浸入の防止を確保している。これに対し、ジョイナーの溝底部に貼着している部分は上記目地に対して直角に配置されているので、雨水等の浸入は確実に防止することができる。
【００１３】
また、上記一方の外壁材と他方の外壁材の裏面には、それぞれジョイナーの端部を除く部分及びジョイナーの端部とパッキン材との間に通気空間を形成したから、万一雨水等がパッキン材を越えて裏側にまわることがあっても、雨水等は上下方向に通った通気空間から排出される。もちろん、雨水等に含まれた湿気も通気空間から排出される。このように、止水性がよいので、カビ等が発生するのを良好に防止することができる。
【００１４】
さらに、隣り合う外壁材において、平面状の端面を有する外壁材を切断加工するだけで、施工現場において容易に調整作業を行うことができる。また、シーリング材を使用しないので、シーリング材の劣化やメンテナンスという問題が生じない。
【００１５】
以上のように、下地材と外壁材との間に十分な間隔が得られないような場合であっても、防水性に優れ、しかも施工の容易性を損なうことのない外壁材の接合構造を提供することができる。
【００１６】
請求項２に係る発明によれば、接合用ジョイナーは、中央部に設けられた凹溝部と、該凹溝部の両側に直角に形成された板状部とを備え、上記両板状部の各端部には折返し部が形成され、上記一側の板状部の凹溝部側には段差部が設けられており、上記凹溝部は一方の外壁材の裏合じゃくり部に挿入され、板状部は両外壁材の裏面に沿って配置され、両板状部の各端部の折返し部は両外壁材の裏面に沿って配置され、上記凹溝部の上記一方の外壁材の裏合じゃくり部に対応する溝底部と、上記他方の外壁材の端面に続く角部と段差部の各表側には弾性を有するパッキン材が貼着されているので、パッキン材が当接した部分は止水部となり、上記両外壁材の接合部から雨水等が浸入しても、パッキン材による止水部によってシールされる。
【００１７】
また、ジョイナーの両側の板状部が外壁材の裏面に当接させるとき、実際には板状部の両端の折返し部が当接する。また、パッキン材も直接に外壁材の裏面に当接する。それ以外の部分は外壁材の裏面から浮くので、浮いた部分には上下方向に通る通気空間が形成される。したがって、万一雨水等がパッキン材を越えて裏側にまわることがあっても、雨水等や雨水等に含まれた湿気は上下方向に通った通気空間から排出され、カビ等が発生するのを良好に防止することができる。
【００１８】
したがって、下地材と外壁材との間に十分な間隔が得られないような場合であっても、防水性に優れ、しかも施工の容易性を損なうことのない外壁材の接合構造用ジョイナーを提供することができる。
【００１９】
請求項３に係る発明によれば、ジョイナーの段差部は、板状部の両端の折返し部よりも低く形成されているとともに、段差部と折返し部との高さの差は、上記パッキン材のほぼ２分の１に形成されているから、パッキン材が外壁材の裏面に押し付けられたときに押し潰されて半分程度の厚さになる。したがって、ちょうど良い止水機能が得られる。
【図面の簡単な説明】
【００２０】
【図１】本発明に係る外壁材の接合構造を示す横断面図
【図２】図１の要部の拡大図
【図３】留め金具による上下の外壁材の取付態様を示す縦断面図
【図４】接合用ジョイナーの側面図
【発明を実施するための形態】
【００２１】
図１において符号１は建物の支柱を示す。支柱１の屋内側には内装材２が張設され、内装材２の内側にはグラスウール、ロックウール等からなる断熱材３が配置されている。
【００２２】
支柱１の屋外側には縦胴縁４が固着され、縦胴縁４の外側には第１の外壁材５と第２の外壁材６の２枚の外壁材５、６が接合されて外壁を構成している。なお、Ｐは防水シートである。なお、両側の外壁材５、６はそれぞれ複数枚が縦胴縁４に横張りされ、図３に示されるように、上部の外壁材５ａ、６ａの下端面の合じゃくり部と下部の外壁材５ｂ、６ｂの上端面の合じゃくり部とは共通の留め金具９に係合している。留め金具９は、外側の縦胴縁４に所定の間隔をおいて釘１９により固定されている。留め金具９によって、各外壁材６、６の裏面と縦胴縁４との間には空間Ｓが形成されるようになっている。
【００２３】
図２に詳しく示されているように、両外壁材５、６は、第１の外壁材５の端面に形成された裏合じゃくり部７と、第２の外壁材６の平面状の端面８とが突合せ状態で接合している。これにより、第１の外壁材５の裏合じゃくり部７と第２の外壁材６の端面８との間に凹陥部１０が形成されている。また、両外壁材５、６が接合する接合部の裏側には金属製の接合用ジョイナー１１が配置されている。
【００２４】
ジョイナー１１は、図２、図４に示されるように、中央部に設けられて上記裏合じゃくり部７によって形成された凹陥部１０に挿入される凹溝部１２と、該凹溝部１２の両側に直角に形成されて上記両外壁材５、６の裏面に沿って配置される板状部１３、１４と、パッキン材１５とから構成されている。両側の板状部１３、１４は面一になるように形成されている。
【００２５】
凹溝部１２は、両外壁材５、６の接合部の凹陥部１０にほぼ嵌り合う形状に形成されている。また、両板状部１３、１４の各端部には折返し部１６が形成されている。さらに、一側の板状部１４の凹溝部１２側には段差部１７が設けられている。なお、段差部１７の高さｈ１は上記折返し部１６の高さｈ２の半分程度になるように形成されている。また、段差部１７の幅は一方の板状部１３とほぼ同じに形成され、また他方の板状部１４の幅の３分の１程度になるように形成されている。
【００２６】
パッキン材１５はゴムや樹脂などの弾性を有する材料によって構成されている。そして、パッキン材１５は、凹溝部１２の裏合じゃくり部７に対応する溝底部１２ａと溝壁部１２ｂと段差部１７の各表側に、Ｚ字形に貼着されている。ジョイナー１１の段差部１７の高さｈ１とパッキン材１５の厚さとを合わせると、折返し部１６の高さｈ２よりも高くなるように設定されている。なお、パッキン材１５の厚さは折返し部１６の高さと略同じになるように形成されている。
【００２７】
次に、上記第１の外壁材５と第２の外壁材６とを接合するときは、図２に示されるように、ジョイナー１１の中央部の凹溝部１２を裏合じゃくり部７を含む凹陥部１０に挿入する。また、ジョイナー１１の両端部の折返し部１６、１６は第１及び第２の外壁材５、６の裏面に当接する。このとき、第１の外壁材５の裏合じゃくり部７に挿入された部位と、第２の外壁材６の端面８及びそれに続く角部１８とは、パッキン材１５を介してそれぞれ第１及び第２の外壁材５、６に当接する。これにより、パッキン材１５が当接した部分は止水部を構成する。また、第２の外壁材６の裏面には、ジョイナー１１の端部を除く部分に通気空間ｓ１が形成されている。さらに、第２の外壁材６の裏面には、ジョイナー１１の端部とパッキン材１５との間に通気空間ｓ２が形成されている。
【００２８】
上述のように、第１の外壁材５と第２の外壁材６との接合部の裏側に金属製のジョイナー１１を配置し、このジョイナー１１の中央部は裏合じゃくり部７に挿入され、ジョイナー１１の両端部の折返し部１６は上記隣接した外壁材５、６の裏面に当接し、第１の外壁材５の凹陥部１０に挿入された部位と、第２の外壁材６の端面８及びそれに続く角部１８に当接された部位とは、弾性を有するパッキン材１５を介してそれぞれ第１及び第２の外壁材５、６に当接されているから、パッキン材１５が当接した部分は止水部となる。したがって、第１の外壁材５と第２の外壁材６の接合部から雨水等が浸入しても、パッキン材１５による止水部によってシールされる。なお、パッキン材１５のうち、ジョイナー１１の凹溝部１２の第２の外壁材６側の溝壁部１２ｂに貼着された部分は、両外壁材５、６の接合部、つまり第１の外壁材５の裏合じゃくり部７を除く先端面２０と第２の外壁材６の端面８との突合せ部の間の隙間（目地）２１に真直状に連続する部分に設けられ、他の部分に比べて雨水等が浸入しやすいので、さらにジョイナー１１の段差部１７に貼着された部分でさらにシールすることにより、浸入の防止を確保している。これに対し、ジョイナー１１の溝底部１２ａに貼着している部分は上記目地の隙間２１に対して直角に配置されているので、雨水等の浸入は確実に防止することができる。
【００２９】
ところで、雨水等はパッキン材１５を越えて裏側にまわる可能性がある。このような場合、第１の外壁材５の裏面にはジョイナー１１の端部の折返し部１６を除く部分に通気空間ｓ１があり、また第２の外壁材６の裏面にはジョイナー１１の端部の折返し部１６とパッキン材１５との間に通気空間ｓ２が形成されているので、雨水等は上下方向に通った通気空間ｓ１、ｓ２から排出される。もちろん、雨水等に含まれた湿気も通気空間ｓ１、ｓ２から排出される。このように、止水性がよいので、カビ等が発生するのを良好に防止することができる。
【００３０】
また、隣り合う外壁材５、６において、第２の外壁材６を平面状に切断加工するだけでよく、合じゃくり加工などの特別な段差加工を必要としないので、施工現場において容易に調整作業を行うことができる。また、シーリング材を使用しないので、シーリング材の劣化やメンテナンスという問題が生じない。
【００３１】
なお、上記ジョイナー１１の一側の板状部１４の段差部１７の高さｈ１は、上記折返し部１６の高さｈ２のほぼ２分の１であり、パッキン材１５の厚さｔは折返し部１６の高さｈ２と略同じになるように形成されているから、第２の外壁材６が取り付けられたときに、パッキン材１５が半分程度潰れることになり、良好な止水部が形成される。パッキン材１５の凹溝部１２の溝底部１２ａに貼着された部分も、第１の外壁材５が取り付けられたときに、半分程度潰れてシール機能に優れた止水部が形成される。
【００３２】
なお、上述の実施形態の胴縁は縦胴縁４とし、外壁材を横張りとするものであるが、胴縁を横胴縁とし、外壁材を縦張りとする構成にも適用することができる。
【符号の説明】
【００３３】
ｓ１、ｓ２  通気空間
１      支柱
４      縦胴縁
５      第１の外壁材
６      第２の外壁材
７      裏合じゃくり部
８      端面
１１    ジョイナー
１２    凹溝部
１３、１４  板状部
１５  パッキン材
１６    折返し部
１７    段差部
１８    角部
【図１】
2013241736.tif 000003
【図２】
2013241736.tif 000004
【図３】
2013241736.tif 000005
【図４】
2013241736.tif 000006